(57)【特許請求の範囲】
【請求項１】
緊急時に自動的に緊急信号を発信できる緊急信号発生装置付き携帯電話であって、
前記緊急信号発生装置は、予めタイマに設定された緊急通報時間が経過した場合にメモリ回路に記憶されている所定の緊急信号を、通常の外部との通信に用いられる周波数とは異なる周波数で自動的に発信する回路を有する緊急信号発信装置付き携帯電話において、
さらに、所定の緊急信号発生命令を受信したときにも、メモリ回路に記憶されている所定の緊急信号を、通常の外部との通信に用いられる周波数とは異なる周波数で自動的に発信する回路を有することを特徴とする緊急信号発信装置付き携帯電話。
【請求項２】
さらに、所定のキー入力によっても、メモリ回路に記憶されている所定の緊急信号を、通常の外部との通信に用いられる周波数とは異なる周波数で発信する回路を有する、請求項１に記載の緊急信号発信装置付き携帯電話。
【請求項３】
通常の外部との通信に用いられる第１の周波数で外部との通信を行う第１の無線回路と、
マイクやスピーカにより音声を入出力する音声回路と、
前記無線回路の電気信号と前記音声回路の音声デジタルデータとの間のコーダ・デコーダ処理を行うチャネルコーデックと、
処理に必要なデータを記憶するメモリ回路と、
必要な内容を表示する表示回路と、
キー入力のためのキーマトリックスと、
緊急信号を発信するまでの時間を予め設定できるタイマ回路と、
前記第１の周波数と異なる第２の周波数を発信する第２の無線回路と、
これらの各構成要素の動作を制御する制御回路と、
前記第１の無線回路用の第１のアンテナと、
前記第２の無線回路用の第２のアンテナとを備え、
前記制御回路は、前記キーマトリックスより所定の緊急コマンドが入力されたとき、前記キーマトリックスにより前記タイマ回路に予め設定された緊急通報時間が経過したとき、および前記第１の無線回路を経由して所定の緊急信号発生命令を受信したときには、前記メモリ回路に記憶されている所定の緊急信号を前記第２の無線回路と前記第２のアンテナとを経由して第２の周波数で発信し、停止のコマンドが入力されるか電池からの給電が停止するまで発信を継続する、請求項２に記載の緊急信号発信装置付き携帯電話。
【請求項４】
通常の外部との通信に用いられる第１の周波数で外部との通信を行う第１の無線回路と、
マイクやスピーカにより音声を入出力する音声回路と、
前記無線回路の電気信号と前記音声回路の音声デジタルデータとの間のコーダ・デコーダ処理を行うチャネルコーデックと、
処理に必要なデータを記憶するメモリ回路と、
必要な内容を表示する表示回路と、
キー入力のためのキーマトリックスと、
前記第１の周波数で緊急連絡先の呼び出しを行うまでの時間を予め設定できる第１のタイマ回路と、
前記第１の周波数での緊急連絡先の呼び出し開始から第２の周波数による緊急信号発信に切り換えるまでの時間を設定できる第２のタイマ回路と、
前記第１の周波数と異なる第２の周波数を発信する第２の無線回路と、
これらの各構成要素の動作を制御する制御回路と、
前記第１の無線回路用の第１のアンテナと、
前記第２の無線回路用の第２のアンテナとを備え、
前記制御回路は、
前記キーマトリックスより緊急コマンドが入力されたとき、および前記第１のタイマ回路に予め設定された緊急通報時間が経過したときに、予め設定された緊急連絡先に前記第１の周波数で緊急事態を連絡し、
該緊急連絡先への緊急事態の連絡が開始されてから前記第２のタイマ回路に予め設定された切替時間が経過したとき、および前記第１の無線回路を経由して所定の緊急信号発生命令を受信したときには、前記メモリ回路に記憶されている所定の緊急信号を前記第２の無線回路と前記第２のアンテナとを経由して第２の周波数で発信し、停止のコマンドが入力されるか電池からの給電が停止するまで発信を継続する、請求項２に記載の緊急信号発信装置付き携帯電話。
【請求項５】
前記第２の周波数で発信される前記緊急信号にはＡＭ変調信号、ＦＭ変調信号を含むアナログ信号が使用され、該緊急信号は間欠的に送信される、請求項１から請求項４の何れか１項に記載の緊急信号発信装置付き携帯電話。
【発明の詳細な説明】
【０００１】
【発明の属する技術分野】
本発明は緊急信号発信装置を備えた携帯電話に関する。
【０００２】
【従来の技術】
自動車電話から始まった移動型通信機器は、電子部品の小型化による機器の小型化や無線通信ネットの普及に伴って質的な急速の進歩とともに量的にも急激に拡大し、近年通信機能を有する携帯型電子機器、特に携帯電話の普及には目覚しいものがある。携帯電話では従来の通常の電話と同様に所定の緊急電話番号を発呼することにより警察や消防署への緊急連絡が可能であるが、肉体的な状態や周囲の環境によってはキーマトリックスを用いて指定の緊急電話番号での呼び出しを行うことが困難な場合もある。
【０００３】
特開昭６２−１１３６５号公報には、緊急呼び出しスイッチを設けることにより、例えばタクシー強盗や駐車場における暴行魔の出現の場合に、簡単な操作で所定の連絡先に緊急事態発生を通知することができる自動車電話システムが開示されている。
【０００４】
また、特開平１−１９４７２６号公報には緊急キー入力時以降は呼び出し信号や電源表示信号の出力を停止し、着信があれば緊急着信動作を行い、ない場合は緊急接続先に対する緊急発信動作を行って緊急音声出力を行うことによって、進入者に気付かれることなく緊急事態を知らせることができる移動無線端末機が開示されている。
【０００５】
しかし、何れの場合も緊急事態の連絡は携帯電話基地に電波の届くサービス範囲に限られており、サービス範囲以外の場合には連絡ができず重大事態を招く可能性があり、その対策として別にアマチュア無線機などの別の無線機を併せて携帯することも行われていたが、使用者の負担が大きいという問題点があった。
【０００６】
特開平７−１１３６００号公報には、携帯電話がサービスエリア内にあるか否かを検出する機能を有し、緊急状態を示す特定のコマンドを入力すると、サービスエリア外にある場合に緊急状態モードに入り、予め記憶していた緊急救助要請信号を携帯電話と同じ周波数で一定間隔で送信し続け、携帯電話と同じ受信周波数を持つ汎用受信機等によってこの電波を受信して救助隊等はその位置を確認する緊急信号送信機能付き携帯電話が開示されている。
【０００７】
【発明が解決しようとする課題】
特開平７−１１３６００号公報で開示された緊急信号送信機能付き携帯電話では、サービスエリア外においても緊急事態発生を通報できるが、使用者が緊急状態モードを発生させる必要があり、使用者が例えば山中における転落等で携帯電話の操作ができない場合には緊急事態発生を通報できないという問題点がある。
【０００８】
本発明の目的は、予め設定された時間を経過すると自動的に緊急事態発生を通報でき、所在場所を知らせることのできる緊急信号発信装置付き携帯電話を提供することにある。
【０００９】
【課題を解決するための手段】
本発明の緊急信号発信装置付き携帯電話は、
緊急時に自動的に緊急信号を発信できる緊急信号発生装置付き携帯電話であって、緊急信号発生装置は、予めタイマに設定された緊急通報時間が経過した場合に、メモリ回路に記憶されている所定の緊急信号を、通常の外部との通信に用いられる周波数とは異なる周波数で自動的に発信する回路を有する緊急信号発信装置付き携帯電話において、さらに、所定の緊急信号発生命令を受信したときにも、メモリ回路に記憶されている所定の緊急信号を、通常の外部との通信に用いられる周波数とは異なる周波数で自動的に発信する回路を有する。
【００１０】
さらに、所定のキー入力によっても同様の動作を行う回路を有していてもよい。
【００１１】
通常の外部との通信に用いられる第１の周波数で外部との通信を行う第１の無線回路と、音声回路と、チャネルコーデックと、メモリ回路と、表示回路と、キーマトリックスと、緊急信号を発信するまでの時間を予め設定できるタイマ回路と、第１の周波数と異なる第２の周波数を発信する第２の無線回路と、これらの各構成要素の動作を制御する制御回路と、第１の無線回路用の第１のアンテナと、第２の無線回路用の第２のアンテナとを備え、制御回路は、キーマトリックスより所定の緊急コマンドが入力されたとき、キーマトリックスによりタイマ回路に予め設定された緊急通報時間が経過したとき、および第１の無線回路を経由して所定の緊急信号発生命令を受信したときには、メモリ回路に記憶されている所定の緊急信号を第２の無線回路と第２のアンテナとを経由して第２の周波数で発信し、停止のコマンドが入力されるか電池からの給電が停止するまで発信を継続ことが好ましい。
【００１２】
また、通常の外部との通信に用いられる第１の周波数で外部との通信を行う第１の無線回路と、音声回路と、チャネルコーデックと、メモリ回路と、表示回路と、キーマトリックスと、第１の周波数で緊急連絡先の呼び出しを行うまでの時間を予め設定できる第１のタイマ回路と、第１の周波数での緊急連絡先の呼び出し開始から第２の周波数による緊急信号発信に切り換えるまでの時間を設定できる第２のタイマ回路と、第１の周波数と異なる第２の周波数を発信する第２の無線回路と、これらの各構成要素の動作を制御する制御回路と、第１の無線回路用の第１のアンテナと、第２の無線回路用の第２のアンテナとを備え、制御回路は、キーマトリックスより緊急コマンドが入力されたとき、および第１のタイマ回路に予め設定された緊急通報時間が経過したときに、予め設定された緊急連絡先に第１の周波数で緊急事態を連絡し、その緊急連絡先への緊急事態の連絡が開始されてから第２のタイマ回路に予め設定された切替時間が経過したとき、および第１の無線回路を経由して所定の緊急信号発生命令を受信したときには、メモリ回路に記憶されている所定の緊急信号を第２の無線回路と第２のアンテナとを経由して第２の周波数で発信し、停止のコマンドが入力されるか電池からの給電が停止するまで発信を継続することが好ましい。
【００１３】
第２の周波数で発信される緊急信号にはＡＭ変調信号、ＦＭ変調信号を含むアナログ信号が使用され、その緊急信号は間欠的に送信されることが好ましい。
【００１４】
本発明の緊急信号発信装置付き携帯電話は、携帯電話に緊急時に緊急信号を発生させる回路を内蔵し、災害および遭難時に緊急信号を発生させ、所在場所を知らせることを特徴としており、信号発生条件としては、携帯電話の操作、タイマにより一定時間経過後、およびシステムからの緊急信号発生命令等により発生させることができる。
【００１５】
また、緊急信号発生前に第１の周波数を用いて自動的に緊急連絡先を呼び出して、緊急事態連絡を行うこともできるので、サービスエリア内にあるときには自動的に緊急事態連絡が行われる。
【００１６】
緊急信号はアナログ信号（ＡＭ、ＦＭ変調信号等）を使用し、間欠送信を行うことにより電池の消耗を最小限にし、長時間送信続けることが可能である。
【００１７】
【発明の実施の形態】
本発明の緊急信号発生装置付き携帯電話は、緊急時に緊急信号を発生させる回路を内蔵し、災害および遭難時に緊急信号を発生させ、所在場所を知らせることを特徴とする。
【００１８】
次に、本発明の実施の形態の緊急信号発生装置付き携帯電話について図面を参照して説明する。図１は本発明の第１の実施の形態の緊急信号発生装置付き携帯電話の模式的ブロック構成図である。
【００１９】
本発明の第１の実施の形態の緊急信号発生装置付き携帯電話１０は、通常の携帯電話用の第１の周波数で外部との通信を行う第１の無線回路１１と、マイクやスピーカにより音声を入出力する音声回路１２と、無線回路１１の電気信号と音声回路１２の音声デジタルデータとの間のコーダ・デコーダ処理を行うチャネルコーデック１３と、処理に必要なデータを記憶するメモリ回路１４と、必要な内容を表示する表示回路１５と、キー入力のためのキーマトリックス１６と、設定してから緊急信号を発信するまでの時間を予め設定できるタイマ回路１７と、第１の周波数と異なる第２の周波数を発信する第２の無線回路１８と、これらの各構成要素の動作を制御する制御回路１９と、第１の無線回路１１用の第１のアンテナ２０と、第２の無線回路１８用の第２のアンテナ２１とを備えている。
【００２０】
制御回路１９は、キーマトリックス１６より緊急コマンドが入力されたとき、キーマトリックス１６によりタイマ回路１７に予め設定された緊急通報時間が経過したとき、および第１の無線回路１１を経由して所定の緊急信号発生命令を受信したときには、メモリ回路１４に記憶されている所定の緊急信号を第２の無線回路１８と第２のアンテナ２１とを経由して第２の周波数で発信し、停止のコマンドが入力されるか電池からの給電が停止するまで発信を継続する。
【００２１】
緊急信号は電池の消耗を最小限にし、長時間の送信を続けることを可能にするため、アナログ信号（ＡＭ、ＦＭ変調信号等）を使用し、間欠的に送信を行うことが望ましい。チャネルコーデック１３を経由しないで発信することにより電力の消費を節減できる。
【００２２】
第２の周波数は、携帯電話の通常の周波数と異なるので、サービスエリア内で発信しても、通常の携帯電話の通話を妨げることはない。第２の周波数の受信には、その周波数の電波を受信できる受信機が必要となるが、例えば携帯電話の使用者の関係者がその周波数の電波を受信できる受信機を保有したり、全国的に共通の周波数を割り当て、警察や消防などに受信機を配備すればこのような緊急事態に対応することができる。
【００２３】
次に本発明の第１の実施の形態の緊急信号発生装置付き携帯電話の動作の説明を図１および図２を参照して説明する。図２は本発明の第１の実施の形態の緊急信号発生装置付き携帯電話の動作のフローチャートである。
【００２４】
緊急信号発生には次の３つの方法がある。即ち、
第１の方法は、使用者がキーマトリックスを操作できる状態であり、携帯電話のキー入力により緊急信号のコマンドを発生させることにより、制御回路１９はメモリ回路１４に記憶された緊急信号を第２の無線回路１８と第２のアンテナ２１を経由して第２の周波数で発信する。緊急信号のコマンドの発生は、専用のキーを設けてもよいが、所定のキーを所定の時間以上押し続けたり、所定の２つのキーの同時押圧などであってもよい。
【００２５】
通常使用者は自分が現在携帯電話のサービスエリア内にあるかが不明なので、先ず、携帯電話の第１の周波数を使用して通常の方法で緊急連絡先に緊急状態の発生を連絡し、連絡先との通話ができない場合にキー入力により緊急信号のコマンドを発生させることが望ましい。この場合、異常を察知した人が第２の周波数の受信可能な装置を用いて探索することで、使用者の位置を確認することができる。
【００２６】
第２の方法は、携帯電話にタイマを設け、設定から一定時間経過後に緊急信号を発生させる方法である。これは、登山等で事故に遭い、遭難した場合（自分自身で携帯電話の操作ができない状態、例えば気を失っている、または身動きがとれない等の場合）を想定している。
【００２７】
登山等の危険を伴う場合、帰還するまでの時間が重要となる。そこで、万が一のことを考え予定時間＋α（例えば２時間）の時間を緊急信号発生装置付き携帯電話に設定する。
【００２８】
携帯電話は設定された時間（予定時間＋α）経過後に、自動的に緊急信号を発生させ遭難場所を知らせる。この設定は携帯電話の電源が“ＯＦＦ”の状態であっても有効とし、設定時間経過後に自動的に携帯電話の電源を“ＯＮ”として緊急信号を送出する。予定時間が経過しても帰還しない場合に、関係者が予定された順路を第２の周波数を受信できる受信機を持って探索することにより捜索が容易となる。
【００２９】
第三の方法は、携帯電話のシステム（基地局）から緊急信号送出命令を送出し、携帯電話に信号を発生させる。
【００３０】
これは、事故または災害等により生き埋めなどで居場所が不明となった人を捜すことを目的としており、携帯電話が使用できるサービスエリア内でのみ可能である。
【００３１】
サービスエリア内にある携帯電話はシステムに対して位置登録（携帯電話の識別符号をシステムに知らせる機能）を行うので、位置登録を受信した基地局により携帯電話が存在するエリアは特定できる。そこで、緊急信号送出命令を携帯電話に対して送出することにより携帯電話に緊急信号を送出させ、場所の正確な確認が可能となる。
【００３２】
この動作を図２のフローチャートを参照して説明する。動作を開始すると（Ｓ１１）、緊急信号発生用のタイマーを設定するのであれば（Ｓ１２Ｙ）、タイマー回路１７に緊急信号発生時間を設定して（Ｓ１３）、ステップＳ１４に進む。緊急信号発生用のタイマーを設定しないのであれば（Ｓ１２Ｎ）、直接ステップＳ１４に進む。
【００３３】
ステップ１４でキーマトリックス１６より緊急コマンドが入力されれば（Ｓ１４Ｙ）、ステップＳ２０の緊急信号発生に進み、緊急コマンドが入力されなければ（Ｓ１４Ｎ）、ステップＳ１５に進んで待ち受け状態であるかを確認する。
【００３４】
ステップＳ１５で待ち受け状態であれば（Ｓ１５Ｙ）、ステップＳ１６で外部から緊急信号発生指令を受信したかを確認し、確認すれば（Ｓ１６Ｙ）ステップＳ２０の緊急信号発生に進み、確認されなければ（Ｓ１６Ｎ）、ステップＳ１７に進む。ステップＳ１５で待ち受け状態でない場合も（Ｓ１５Ｎ）、直接ステップＳ１７に進む。、
ステップＳ１７ではタイマに設定された緊急信号発生時間まで時間が経過していないかをチェックし、経過していなければ（Ｓ１７Ｎ）、ステップＳ１４に戻ってステップを繰り返す。経過していれば（Ｓ１７Ｙ）、電源ＯＮ状態かをチェックし（Ｓ１８）、電源ＯＮ状態でなければ（Ｓ１８Ｎ）、電源をＯＮして（Ｓ１９）、ステップＳ２０へ進み、電源ＯＮ状態であれば（Ｓ１８Ｙ）、直接ステップＳ２０へ進む。
【００３５】
ステップＳ２０では、制御回路１９がメモリ回路１４に記憶された緊急信号を第２の無線回路１８と第２のアンテナ２１とを経由して第２の周波数で外部に発信する。解除モードの入力を待機し（Ｓ２１Ｎ）、解除モードが入力されれば（Ｓ２１Ｙ）、緊急信号の発信を停止し（Ｓ２２）、処理を終了する（Ｓ２３）。
【００３６】
次に、本発明の第２の実施の形態の緊急信号発生装置付き携帯電話について図面を参照して説明する。図３は本発明の第２の実施の形態の緊急信号発生装置付き携帯電話の模式的ブロック構成図である。
【００３７】
本発明の第２の実施の形態の緊急信号発生装置付き携帯電話６０は、通常の携帯電話の第１の周波数で外部との通信を行う第１の無線回路６１と、マイクやスピーカにより音声を入出力する音声回路６２と、無線回路６１の電気信号と音声回路６２の音声デジタルデータとの間のコーダ・デコーダ処理を行うチャネルコーデック６３と、処理に必要なデータを記憶するメモリ回路６４と、必要な内容を表示する表示回路６５と、キー入力のためのキーマトリックス６６と、第１の周波数で緊急連絡先へ自動的に緊急事態連絡を行うまでの時間を予め設定できる第１のタイマ回路６７と、第１の周波数で緊急連絡先へ自動的に緊急事態連絡を開始してから第２の周波数による緊急信号発信に切り換えるまでの切替時間を設定できる第２のタイマ回路７２と、第１の周波数と異なる第２の周波数を発信する第２の無線回路６８と、これらの各構成要素の動作を制御する制御回路６９と、第１の無線回路６１用の第１のアンテナ７０と、第２の無線回路６８用の第２のアンテナ７１とを備えている。
【００３８】
制御回路６９は、キーマトリックス６６より緊急コマンドが入力され、あるいは第１のタイマ回路６７に予め設定された緊急事態連絡を行うまでの時間が経過したとき、第１の周波数で緊急連絡先に緊急事態連絡を自動的に行う。また制御回路６９は、緊急連絡先の呼び出しを開始してから第２のタイマ回路７２に予め設定された切替時間が経過したとき、および第１の無線回路６１を経由して所定の緊急信号発生命令を受信したときには、メモリ回路６４に記憶されている所定の緊急信号を第２の無線回路６８と第２のアンテナ７１とを経由して第２の周波数で発信し、停止のコマンドが入力されるか電池からの給電が停止するまで発信を継続する。緊急信号は電池の消耗を最小限にし、長時間送信を続けることを可能にするため、アナログ信号（ＡＭ、ＦＭ変調信号等）を使用し、間欠送信を行うことが望ましい。
【００３９】
第１の実施の形態では、緊急事態の発生の時は直ちに第２の無線回路１８と第２のアンテナ２１とを経由して第２の周波数で緊急信号を送信していたが、第２の実施の形態では、キーマトリックス６６より緊急コマンドが入力されたときと、タイマ回路６７に予め設定された緊急通報時間が経過したときには、先ず自動的に第１の周波数で予め設定した連絡先の呼び出しを行って、接続した時には予め設定した内容の緊急事態連絡を行い、呼び出しを開始してから第２のタイマ回路７２に設定した時間が経過した場合は、第２の無線回路６８と第２のアンテナ７１とを経由して第２の周波数で緊急信号を送信する。従って第１の周波数で緊急連絡先に接続できなかった場合にも自動的に緊急信号送信に切り替わる。
【００４０】
それによって、サービスエリア内にあるときには通常の携帯電話の第１の周波数でメモリ回路６４に予め設定されていた緊急連絡先にメモリ回路６４に予め設定されていた内容の緊急事態連絡を自動的に行うことができ、さらに所定時間が経過した後並びに緊急連絡先などが所定の緊急信号発生命令を発信し、携帯電話が受信したときには、メモリ回路６４に記憶されている所定の緊急信号を第２の無線回路６８と第２のアンテナ７１とを経由して第２の周波数で発信するので以後の追跡に役立つ。
【００４１】
サービスエリア外にあったり、サービスエリア内にあっても何らかの理由で第１の周波数での通信が阻害されているときには、第１の周波数での通信ができないので、第２のタイマ回路７２に設定した切替時間が経過すると自動的に第２の周波数に切り替わって、第１の実施の形態と同様に第２の無線回路６８と第２のアンテナ７１とを経由して第２の周波数で緊急信号が送信される。
【００４２】
これによって、サービスエリア内外に係わらず緊急の場合に緊急信号が送信でき、さらにサービスエリア内にあるときには携帯電話の通常の周波数を用いて緊急連絡先にたいする緊急事態の連絡が可能となる。
【００４３】
次に本発明の本発明の第２の実施の形態の緊急信号発生装置付き携帯電話の動作の説明を図３および図４を参照して説明する。図４は本発明の第２の実施の形態の緊急信号発生装置付き携帯電話の動作のフローチャートである。
【００４４】
緊急信号発生には次の３つの方法がある。即ち、
第１の方法は、使用者がキーマトリックスを操作できる状態であり、携帯電話のキー入力により緊急信号のコマンドを発生させることにより、制御回路６９は通常の携帯電話の第１の周波数でメモリ回路６４に予め設定されていた緊急連絡先にメモリ回路６４に予め設定されていた内容の緊急事態連絡を行い、緊急連絡先の呼び出し開始から第２のタイマ回路７２に設定した時間が経過した場合と、緊急連絡先などが第１の周波数で所定の緊急信号発生命令を発信し、携帯電話が受信したときには、自動的に第２の周波数に切り替わって、メモリ回路６４に記憶されている所定の緊急信号が第２の無線回路６８と第２のアンテナ７１とを経由して発信され、異常を察知した人が第２の周波数の受信可能な装置を用いて探索することで、使用者の位置を確認することができる。
【００４５】
第２の方法は、携帯電話にタイマを設置し、設定から一定時間経過後に緊急信号を発生させる方法である。これは、登山等で事故に遭い、遭難した場合（自分自身で携帯電話の操作ができない状態、例えば気を失っている、または身動きがとれない状態等）を想定している。
【００４６】
登山等の危険を伴う行動の場合、帰還するまでの時間が重要となる。そこで、万が一のことを考え予定時間＋α（例えば２時間）の時間を緊急信号発生装置付き携帯電話に設定する。
【００４７】
携帯電話は設定された時間（予定時間＋α）経過後に、先ず通常の携帯電話の第１の周波数でメモリ回路６４に予め設定されていた緊急連絡先にメモリ回路６４に予め設定されていた内容の緊急事態連絡を行い、呼び出し開始から第２のタイマ回路７２に設定した時間が経過した場合と、緊急連絡先等が所定の緊急信号発生命令を発信し、携帯電話が受信したときには、自動的に第２の周波数に切り替わって、メモリ回路６４に記憶されている所定の緊急信号が第２の無線回路６８と第２のアンテナ７１とを経由して発信され、異常を察知した人が第２の周波数の受信可能な装置を用いて探索することで、使用者の位置を確認することができる。
【００４８】
第１のタイマーの設定による動作の場合は、携帯電話の電源が“ＯＦＦ”の状態であっても有効とし、設定時間経過後に携帯電話の電源を“ＯＮ”として第１の周波数にによる緊急連絡先に対する緊急事態連絡と第２の周波数による緊急信号とを送出する。
【００４９】
第三の方法は、携帯電話のシステム（基地局）から緊急信号送出命令を送出し、携帯電話に緊急信号を発生させる。
【００５０】
これは、事故または災害等により居場所が不明となった人を捜すことを目的としており、携帯電話が使用できるサービスエリア内でのみ可能である。
【００５１】
サービスエリア内にある携帯電話はシステムに対して位置登録（携帯電話の識別符号をシステムに知らせる機能）を行うので、位置登録を受信した基地局により携帯電話が存在するエリアは特定できる。そこで、緊急信号送出命令を携帯電話に対して送出することにより携帯電話に緊急信号を送出させ、場所を正確に確認可能とする。
【００５２】
この動作を図４のフローチャートを参照して説明する。動作を開始すると（Ｓ６１）、緊急信号発生用のタイマーを設定するのであれば（Ｓ６２Ｙ）、第１のタイマー回路６７に緊急信号発生時間を設定して（Ｓ６３）、ステップＳ６４に進む。緊急信号発生用のタイマーを設定しないのであれば（Ｓ６２Ｎ）、直接ステップＳ６４に進む。
【００５３】
ステップ６４でキーマトリックス６６より緊急コマンドが入力されれば（Ｓ６４Ｙ）、ステップＳ７０の緊急連絡先呼び出しに進み、緊急コマンドが入力されなければ（Ｓ６４Ｎ）、ステップＳ６５に進んで待ち受け状態であるかを確認する。
【００５４】
ステップＳ６５で待ち受け状態であれば（Ｓ６５Ｙ）、ステップＳ６６で外部から緊急信号発生指令を受信したかを確認し、確認すれば（Ｓ６６Ｙ）ステップＳ７６の緊急信号発生に進み、確認されなければ（Ｓ６６Ｎ）、ステップＳ６７に進む。ステップＳ６５で待ち受け状態でない場合も（Ｓ６５Ｎ）、直接ステップＳ６７に進む。、
ステップＳ６７では第１のタイマ回路６７に設定された緊急信号発生時間まで設定から時間が経過していないかをチェックし、経過していなければ（Ｓ６７Ｎ）、ステップＳ６４に戻ってステップを繰り返す。経過していれば（Ｓ６７Ｙ）、電源ＯＮ状態かをチェックし（Ｓ６８）、電源ＯＮ状態でなければ（Ｓ６８Ｎ）、電源をＯＮして（Ｓ６９）、ステップＳ７０へ進み、電源ＯＮ状態であれば（Ｓ６８Ｙ）、直接ステップＳ７０へ進む。
【００５５】
ステップＳ７０は緊急コマンドが入力された場合と、第１のタイマ回路６７に設定された緊急信号発生時間が経過した場合に作動し、ステップＳ７０では、制御回路６９がメモリ回路６８に記憶された緊急連絡先を第１の無線回路６１、第１のアンテナ７０を経由して第１の周波数で呼び出す。
【００５６】
第１の周波数による緊急連絡先の呼び出し開始から第２のタイマ回路７２に予め設定された切替時間まで未経過の場合は（Ｓ７１Ｎ）、接続するまで呼び出しを継続し（Ｓ７２Ｎ）、切替時間が経過した場合は（Ｓ７１Ｙ）、ステップＳ７６に進む。緊急連絡先に接続した場合は（Ｓ７２Ｙ）、制御回路６９がメモリ回路６８に記憶された緊急事態連絡内容を第１の無線回路６１、第１のアンテナ７０を経由して第１の周波数で緊急連絡先に通報する（Ｓ７３）。緊急連絡先の呼び出し開始から第２のタイマ回路７２に予め設定された切替時間未経過の場合は（Ｓ７４Ｎ）、緊急信号発生指令の受信を待機し（Ｓ７５Ｎ）、切替時間が経過した場合と（Ｓ７４Ｙ）、緊急信号発生指令を受信した場合は（Ｓ７５Ｙ）、ステップＳ７６に進む。
【００５７】
ステップＳ７６では、制御回路６９がメモリ回路６４に記憶された緊急信号を第２の無線回路６８と第２のアンテナ７１とを経由して第２の周波数で外部に発信する。解除モードの入力を待機し（Ｓ７７Ｎ）、解除モードが入力されれば（Ｓ７７Ｙ）、緊急信号の発信を停止し（Ｓ７８）、処理を終了する（Ｓ７９）。
【００５８】
本発明はこれまでは携帯電話を対象として具体的に説明されたが、携帯電話以外の例えば通信機能付き携帯情報端末のような他の携帯型電子機器にも広く適用可能である。
【００５９】
【発明の効果】
以上説明したように、本発明には次のような効果がある。即ち、
第１の効果は、本人が直接発信動作を行えない場合でも事故、遭難および災害等により行方不明となった人を捜すことが可能となることである。
【００６０】
これは、特開平８−２８９３６９号公報に開示されたように携帯電話機のキー操作により緊急信号を発信する方法の他に、タイマーに設定された帰還予定時間を過ぎた時には所持者の操作を必要としないで緊急信号を発信し、また緊急事態の発生が予測される場合に携帯電話システムからの命令により自動的に緊急信号を発信するからである。
【００６１】
第２の効果は、携帯電話のサービスエリアに関係なく緊急信号を発信できることである。これは、携帯電話用の周波数と異なる周波数で緊急信号を発信するので通常の携帯電話の通信に影響を与えないからである。
【００６２】
第３の効果は、緊急信号を長時間発信できることである。これは緊急信号は携帯電話等のデジタル信号ではなく、アナログ信号（ＡＭ、ＦＭ変調等）を使用し、省電力送信で間欠送信とすることにより他への影響が少なく、チャネルコーデックを使用しないので電力の消費が少ないからである。
【００６３】
第４の効果は、緊急信号の確認距離が変更可能なことである。これは携帯電話用の周波数と異なる周波数を用いるので電波の強弱を変更できるからである。
【００６４】
第５の効果は、第２の実施の形態とすることで、携帯電話がサービスエリア内にあるときには自動的に携帯電話の周波数で緊急連絡先に緊急事態連絡をできることである。これは最初に携帯電話の周波数で緊急連絡先を呼び出し所定の切替時間が経過すると異なる周波数で緊急信号を発信するからである。
【図面の簡単な説明】
【図１】本発明の第１の実施の形態の緊急信号発生装置付き携帯電話の模式的ブロック構成図である。
【図２】本発明の第１の実施の形態の緊急信号発生装置付き携帯電話の動作のフローチャートである。
【図３】本発明の第２の実施の形態の緊急信号発生装置付き携帯電話の模式的ブロック構成図である。
【図４】本発明の第２の実施の形態の緊急信号発生装置付き携帯電話の動作のフローチャートである。
【符号の説明】
１０、６０    緊急信号発生装置付き携帯電話
１１、６１    第１の無線回路
１２、６２    音声回路
１３、６３    チャネルコーデック
１４、６４    メモリ回路
１５、６５    表示回路
１６、６６    キーマトリックス
１７    タイマ回路
１８、６８    第２の無線回路
１９、６９    制御回路
２０、７０    第１のアンテナ
２１、７１    第２のアンテナ
６７    第１のタイマ回路
７２    第２のタイマ回路
Ｓ１１〜Ｓ２３、Ｓ６１〜７９    ステップ
【図１】
0003578208.tif 000002
【図２】
0003578208.tif 000003
【図３】
0003578208.tif 000004
【図４】
0003578208.tif 000005